【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
筐体と、該筐体内に収容され、被写体を透過した放射線源からの放射線を検出し、放射線画像情報に変換する放射線検出器とを有する放射線検出装置において、
前記筐体が持ち上げられたことを検知するセンサと、
前記センサからの検知信号に基づいて電力供給する電力供給制御部と、
撮影可能モードに移行したかどうかを判別する判別部と、
前記撮影可能モードに移行できない場合に、警告を発するための警告信号を出力する警告信号出力部とを有することを特徴とする放射線検出装置。
【請求項２】
請求項１記載の放射線検出装置において、
前記筐体に表示部を有し、
前記撮影可能モードに移行できない場合に、前記表示部に警告を示す表示を行う表示制御部を有することを特徴とする放射線検出装置。
【請求項３】
請求項１又は２記載の放射線検出装置において、
前記撮影可能モードに移行できない場合に、前記放射線源からの前記放射線の出力を禁止するための曝射禁止信号を出力する禁止信号出力部を有することを特徴とする放射線検出装置。
【請求項４】
筐体と、該筐体内に収容され、被写体を透過した放射線源からの放射線を検出し、放射線画像情報に変換する放射線検出器とを有する放射線検出装置において、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有することを特徴とする放射線検出装置。
【請求項５】
請求項４記載の放射線検出装置において、
前記筐体に表示部を有し、
前記センサからの前記検知信号の出力時点から所定時間経過しても前記正常信号出力部から前記正常信号が出力されない場合に、前記表示部に警告を示す表示を行う表示制御部を有することを特徴とする放射線検出装置。
【請求項６】
請求項４又は５記載の放射線検出装置において、
前記センサからの前記検知信号の出力時点から所定時間経過しても前記正常信号出力部から前記正常信号が出力されない場合に、前記放射線源からの前記放射線の出力を禁止するための曝射禁止信号を出力する禁止信号出力部を有することを特徴とする放射線検出装置。
【請求項７】
筐体と、該筐体内に収容され、被写体を透過した放射線源からの放射線を検出し、放射線画像情報に変換する放射線検出器と、バッテリとを有する放射線検出装置と、
前記放射線検出装置が装着されることで、少なくとも前記バッテリに対して充電を行うクレードルとを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行できない場合に、警告を発するための警告信号を出力する警告信号出力部とを有し、
前記クレードルは、
前記放射線検出装置の前記警告信号出力部から出力された前記警告信号の入力に基づいて、警告を発する警告出力部を有することを特徴とする放射線画像撮影システム。
【請求項８】
請求項７記載の放射線画像撮影システムにおいて、
前記警告出力部は、
表示部と、
前記警告信号の入力に基づいて、前記表示部に警告を示す表示を行う表示制御部とを有することを特徴とする放射線画像撮影システム。
【請求項９】
請求項７又は８記載の放射線画像撮影システムにおいて、
前記警告出力部は、
音声出力部と、
前記警告信号の入力に基づいて、前記音声出力部を介して警告を音声出力するように制御を行う音声出力制御部とを有することを特徴とする放射線画像撮影システム。
【請求項１０】
請求項７〜９のいずれか１項に記載の放射線画像撮影システムにおいて、
前記クレードルは、
前記警告信号の入力に基づいて、前記放射線源からの前記放射線の出力を禁止するための曝射禁止信号を出力する禁止信号出力部を有することを特徴とする放射線画像撮影システム。
【請求項１１】
筐体と、該筐体内に収容され、被写体を透過した放射線源からの放射線を検出し、放射線画像情報に変換する放射線検出器と、バッテリとを有する放射線検出装置と、
前記放射線検出装置が装着されることで、少なくとも前記バッテリに対して充電を行うクレードルとを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有し、
前記クレードルは、
前記センサからの前記検知信号の出力時点から所定時間経過しても前記正常信号出力部からの前記正常信号が入力されない場合に、警告を発する警告出力部を有することを特徴とする放射線画像撮影システム。
【請求項１２】
請求項１１記載の放射線画像撮影システムにおいて、
前記警告出力部は、
表示部と、
前記表示部に警告を示す表示を行う表示制御部とを有することを特徴とする放射線画像撮影システム。
【請求項１３】
請求項１１又は１２記載の放射線画像撮影システムにおいて、
前記警告出力部は、
音声出力部と、
前記音声出力部を介して警告を音声出力するように制御を行う音声出力制御部とを有することを特徴とする放射線画像撮影システム。
【請求項１４】
請求項１１〜１３のいずれか１項に記載の放射線画像撮影システムにおいて、
前記クレードルは、
前記センサからの前記検知信号の出力時点から所定時間経過しても前記正常信号出力部からの前記正常信号が入力されない場合に、前記放射線源からの前記放射線の出力を禁止するための曝射禁止信号を出力する禁止信号出力部を有することを特徴とする放射線画像撮影システム。
【請求項１５】
筐体と、該筐体内に収容され、被写体を透過した放射線を検出し、放射線画像情報に変換する放射線検出器とを有する放射線検出装置と、
前記被写体に向けて放射線を放射する撮影装置と、
前記放射線検出装置と情報のやり取りを行って少なくとも前記撮影装置を制御する制御装置とを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行できない場合に、警告を発するための警告信号を出力する警告信号出力部とを有し、
前記制御装置は、
前記放射線検出装置の前記警告信号出力部から出力された前記警告信号の入力に基づいて、警告を発する警告出力部を有することを特徴とする放射線画像撮影システム。
【請求項１６】
請求項１５記載の放射線画像撮影システムにおいて、
前記警告出力部は、
表示部と、
前記警告信号の入力に基づいて、前記表示部に警告を示す表示を行う表示制御部とを有することを特徴とする放射線画像撮影システム。
【請求項１７】
請求項１５又は１６記載の放射線画像撮影システムにおいて、
前記警告出力部は、
音声出力部と、
前記警告信号の入力に基づいて、前記音声出力部を介して警告を音声出力するように制御を行う音声出力制御部とを有することを特徴とする放射線画像撮影システム。
【請求項１８】
請求項１５〜１７のいずれか１項に記載の放射線画像撮影システムにおいて、
前記放射線検出装置は、
前記撮影可能モードに移行できない場合に、前記放射線源からの前記放射線の出力を禁止するための曝射禁止信号を出力する禁止信号出力部を有し、
前記制御装置は、
前記曝射禁止信号の入力に基づいて、前記撮影装置に対する撮影指示を無効するための無効信号を出力する無効信号出力部を有することを特徴とする放射線画像撮影システム。
【請求項１９】
筐体と、該筐体内に収容され、被写体を透過した放射線を検出し、放射線画像情報に変換する放射線検出器とを有する放射線検出装置と、
前記被写体に向けて放射線を放射する撮影装置と、
少なくとも表示部及び操作部を有し、且つ、前記放射線検出装置と情報のやり取りを行って少なくとも前記撮影装置を制御する制御装置とを有する放射線画像撮影システムにおいて、
前記放射線検出装置は、
前記筐体が持ち上げられたことを検知するセンサと、
前記センサからの検知信号に基づいて、少なくとも前記放射線検出器に電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有し、
前記制御装置は、
前記センサからの前記検知信号の出力時点から所定時間経過しても前記正常信号出力部からの前記正常信号が入力されない場合に、警告を発する警告出力部を有することを特徴とする放射線画像撮影システム。
【請求項２０】
請求項１９記載の放射線画像撮影システムにおいて、
前記警告出力部は、
表示部と、
前記表示部に警告を示す表示を行う表示制御部とを有することを特徴とする放射線画像撮影システム。
【請求項２１】
請求項１９又は２０記載の放射線画像撮影システムにおいて、
前記警告出力部は、
音声出力部と、
前記音声出力部を介して警告を音声出力するように制御を行う音声出力制御部とを有することを特徴とする放射線画像撮影システム。
【請求項２２】
請求項１９〜２１のいずれか１項に記載の放射線画像撮影システムにおいて、
前記制御装置は、
前記センサからの前記検知信号の出力時点から所定時間経過しても前記正常信号出力部からの前記正常信号が入力されない場合に、前記撮影装置に対して前記放射線の出力を禁止するための曝射禁止信号を出力する禁止信号出力部を有することを特徴とする放射線画像撮影システム。
【手続補正２】
【補正対象書類名】明細書
【補正対象項目名】発明の名称
【補正方法】変更
【補正の内容】
【発明の名称】放射線検出装置及び放射線画像撮影システム
【手続補正３】
【補正対象書類名】明細書
【補正対象項目名】０００１
【補正方法】変更
【補正の内容】
【０００１】
本発明は、被写体に放射線を照射して放射線画像の撮影を行うための放射線検出装置とそれを利用した放射線画像撮影システムに関する。
【手続補正４】
【補正対象書類名】明細書
【補正対象項目名】００１０
【補正方法】変更
【補正の内容】
【００１０】
本発明は、前記の課題に鑑みなされたものであり、放射線検出装置を技師が持ち上げた段階で、撮影可能モードに移行させることで、いつでも撮影が可能な状態にし、放射線検出装置を所望の位置にセットしてから、撮影開始までの時間を短縮することができる放射線検出装置及び放射線画像撮影システムを提供することを目的とする。
【手続補正５】
【補正対象書類名】明細書
【補正対象項目名】００１１
【補正方法】変更
【補正の内容】
【００１１】
ここで、「撮影可能モードに移行させる」とは、あくまでも撮影可能モードに移行できた放射線検出装置の場合を想定している。
【手続補正６】
【補正対象書類名】明細書
【補正対象項目名】００１２
【補正方法】変更
【補正の内容】
【００１２】
また、本発明の他の目的は、放射線検出装置を技師が持ち上げた段階で、撮影可能モードに移行できない場合、警告を発することで、別の放射線検出装置に切り替えるまでの時間を短縮することができる放射線検出装置及び放射線画像撮影システムを提供することにある。
【手続補正７】
【補正対象書類名】明細書
【補正対象項目名】００１３
【補正方法】変更
【補正の内容】
【００１３】
また、本発明の他の目的は、放射線検出装置を技師が持ち上げた段階で、撮影可能モードに移行できない場合、曝射を禁止して無駄な曝射を回避することができる放射線検出装置及び放射線画像撮影システムを提供することにある。
【手続補正８】
【補正対象書類名】明細書
【補正対象項目名】００１４
【補正方法】変更
【補正の内容】
【００１４】
第１の本発明に係る放射線検出装置は、筐体と、該筐体内に収容され、被写体を透過した放射線源からの放射線を検出し、放射線画像情報に変換する放射線検出器とを有する放射線検出装置において、
前記筐体が持ち上げられたことを検知するセンサと、
前記センサからの検知信号に基づいて電力供給する電力供給制御部と、
撮影可能モードに移行したかどうかを判別する判別部と、
前記撮影可能モードに移行できない場合に、警告を発するための警告信号を出力する警告信号出力部とを有することを特徴とする。
【手続補正９】
【補正対象書類名】明細書
【補正対象項目名】００１５
【補正方法】変更
【補正の内容】
【００１５】
第２の本発明に係る放射線検出装置は、筐体と、該筐体内に収容され、被写体を透過した放射線源からの放射線を検出し、放射線画像情報に変換する放射線検出器とを有する放射線検出装置において、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有することを特徴とする。
【手続補正１０】
【補正対象書類名】明細書
【補正対象項目名】００１６
【補正方法】変更
【補正の内容】
【００１６】
第３の本発明に係る放射線画像撮影システムは、筐体と、該筐体内に収容され、被写体を透過した放射線源からの放射線を検出し、放射線画像情報に変換する放射線検出器と、バッテリとを有する放射線検出装置と、
前記放射線検出装置が装着されることで、少なくとも前記バッテリに対して充電を行うクレードルとを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行できない場合に、警告を発するための警告信号を出力する警告信号出力部とを有し、
前記クレードルは、
前記放射線検出装置の前記警告信号出力部から出力された前記警告信号の入力に基づいて、警告を発する警告出力部を有することを特徴とする。
【手続補正１１】
【補正対象書類名】明細書
【補正対象項目名】００１７
【補正方法】変更
【補正の内容】
【００１７】
第４の本発明に係る放射線画像撮影システムは、筐体と、該筐体内に収容され、被写体を透過した放射線源からの放射線を検出し、放射線画像情報に変換する放射線検出器と、バッテリとを有する放射線検出装置と、
前記放射線検出装置が装着されることで、少なくとも前記バッテリに対して充電を行うクレードルとを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有し、
前記クレードルは、
前記センサからの前記検知信号の出力時点から所定時間経過しても前記正常信号出力部からの前記正常信号が入力されない場合に、警告を発する警告出力部を有することを特徴とする。
【手続補正１２】
【補正対象書類名】明細書
【補正対象項目名】００１８
【補正方法】変更
【補正の内容】
【００１８】
第５の本発明に係る放射線画像撮影システムは、筐体と、該筐体内に収容され、被写体を透過した放射線を検出し、放射線画像情報に変換する放射線検出器とを有する放射線検出装置と、
前記被写体に向けて放射線を放射する撮影装置と、
前記放射線検出装置と情報のやり取りを行って少なくとも前記撮影装置を制御する制御装置とを有する放射線画像撮影システムにおいて、
前記放射線検出装置は、
前記筐体が持ち上げられたことを検知するセンサと、
前記センサからの検知信号に基づいて電力供給する電力供給制御部と、
撮影可能モードに移行したかどうかを検出する判別部と、
前記撮影可能モードに移行できない場合に、警告を発するための警告信号を出力する警告信号出力部とを有し、
前記制御装置は、
前記放射線検出装置の前記警告信号出力部から出力された前記警告信号の入力に基づいて、警告を発する警告出力部を有することを特徴とする。
【手続補正１３】
【補正対象書類名】明細書
【補正対象項目名】００１９
【補正方法】変更
【補正の内容】
【００１９】
第６の本発明に係る放射線画像撮影システムは、筐体と、該筐体内に収容され、被写体を透過した放射線を検出し、放射線画像情報に変換する放射線検出器とを有する放射線検出装置と、
前記被写体に向けて放射線を放射する撮影装置と、
少なくとも表示部及び操作部を有し、且つ、前記放射線検出装置と情報のやり取りを行って少なくとも前記撮影装置を制御する制御装置とを有する放射線画像撮影システムにおいて、
前記放射線検出装置は、
前記筐体が持ち上げられたことを検知するセンサと、
前記センサからの検知信号に基づいて、少なくとも前記放射線検出器に電力供給する電力供給制御部と、
撮影可能モードに移行したかどうかを検出する判別部と、
前記撮影可能モードに移行した場合に、撮影可能モードに移行したことを示す正常信号を出力する正常信号出力部とを有し、
前記制御装置は、
前記センサからの前記検知信号の出力時点から所定時間経過しても前記正常信号出力部からの前記正常信号が入力されない場合に、警告を発する警告出力部を有することを特徴とする。
【手続補正１４】
【補正対象書類名】明細書
【補正対象項目名】００２１
【補正方法】変更
【補正の内容】
【００２１】
（１）放射線検出装置を技師が持ち上げた段階で、撮影可能モードに移行させることで、いつでも撮影が可能な状態にし、放射線検出装置を所望の位置にセットしてから、撮影開始までの時間を短縮することができる。
【手続補正１５】
【補正対象書類名】明細書
【補正対象項目名】００２２
【補正方法】変更
【補正の内容】
【００２２】
（２）放射線検出装置を技師が持ち上げた段階で、撮影可能モードに移行できない場合、警告を発することで、別の放射線検出装置に切り替えるまでの時間を短縮することができる。
【手続補正１６】
【補正対象書類名】明細書
【補正対象項目名】００２３
【補正方法】変更
【補正の内容】
【００２３】
（３）放射線検出装置を技師が持ち上げた段階で、撮影可能モードに移行できない場合、曝射を禁止して無駄な曝射を回避することができる。
【手続補正１７】
【補正対象書類名】明細書
【補正対象項目名】００２４
【補正方法】変更
【補正の内容】
【００２４】
以下、本発明に係る放射線検出装置及び放射線画像撮影システムの実施の形態例を図１〜図８を参照しながら説明する。
【手続補正１８】
【補正対象書類名】明細書
【補正対象項目名】００２５
【補正方法】変更
【補正の内容】
【００２５】
第１の実施の形態に係る放射線画像撮影システム（以下、第１放射線画像撮影システム１０Ａと記す）は、図１に示すように、撮影条件に従った線量からなる放射線Ｘを患者２２（被写体）に照射する放射線源２４と、放射線源２４を制御する線源制御装置２６と、患者２２を透過した放射線Ｘを検出する放射線検出器（放射線変換パネル）を内蔵した放射線検出装置（以下、電子カセッテ２８と記す）と、電子カセッテ２８の充電処理を行うクレードル３０と、放射線源２４の撮影スイッチを有し、撮影作業を含む状態確認のために技師が所持する携帯情報端末３２と、線源制御装置２６、電子カセッテ２８、クレードル３０及び携帯情報端末３２を制御するとともに、必要な情報の授受を行うコンソール３４（制御装置）とを備える。
【手続補正１９】
【補正対象書類名】明細書
【補正対象項目名】００４６
【補正方法】変更
【補正の内容】
【００４６】
表示制御部１０８は、不許可信号Ｓｄの出力に基づいて、筐体４０の側面に設置された表示部６２に、撮影可能モードに移行できない旨のメッセージやマーク（×マーク等）を表示するように制御する。
【手続補正２０】
【補正対象書類名】図面
【補正対象項目名】図４
【補正方法】変更
【補正の内容】
【図４】
2009175104.tif 000001
【手続補正２１】
【補正対象書類名】図面
【補正対象項目名】図８
【補正方法】変更
【補正の内容】
【図８】
2009175104.tif 000002